(57)【要約】  ウィンドウに設定されている以上のリンクを表示することを可能とするウィンドウ表示システムを提供することを目的とする。  重畳領域における元ウィンドウのテキストを取得するテキスト取得部と、取得したテキストと、重畳領域の座標と各テキストの座標とを所定のサーバに送信するテキスト送信部と、サーバにおいて生成された画面を受け取り、それをオーバーラップウィンドウに表示する表示処理部と、を有しており、サーバは、ユーザ端末から受け取ったテキストに所定のキーワードが含まれているかを判定し、含まれている場合にはそのキーワードとＵＲＬとを抽出し、ユーザ端末から受け取ったテキストの座標とに基づいて、テキストに含まれるキーワードの位置に、ＵＲＬへのリンクを張り付けた画面を生成して送信する画面生成部と、を有するウィンドウ表示システムである。
2008038368.tif 000002
【特許請求の範囲】
【請求項１】
ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムであって、
前記ユーザ端末におけるオーバーラップウィンドウ処理部は、
前記元ウィンドウとオーバーラップウィンドウとの重畳領域における前記元ウィンドウのテキストを取得するテキスト取得部と、
前記取得したテキストを所定のサーバに送信するテキスト送信部と、
前記テキストに含まれるキーワードとそのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記表示した画像における前記キーワードに対応する部分について、前記リンク先のＵＲＬに対するリンクを張り付けた上でリンクがあることを示す情報を付した画面を生成し、その画面を前記オーバーラップウィンドウに表示する表示処理部と、を有しており、
前記サーバは、
予め定められたキーワードと、そのキーワードに関する情報が記載されたウェブサイトのＵＲＬとを対応づけて記憶する辞書記憶部と、
前記ユーザ端末からテキストを受け取るテキスト受取部と、
前記テキストに前記辞書記憶部に記憶するキーワードが含まれているかを判定し、含まれている場合にはそのキーワードとＵＲＬとを抽出して前記ユーザ端末に送信するリンク判定部と、
を有することを特徴とするウィンドウ表示システム。
【請求項２】
ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムであって、
前記ユーザ端末におけるオーバーラップウィンドウ処理部は、
前記元ウィンドウとオーバーラップウィンドウとの重畳領域における前記元ウィンドウのテキストを取得するテキスト取得部と、
前記取得したテキストと、前記オーバーラップウィンドウにおける重畳領域の座標と各テキストの座標とを所定のサーバに送信するテキスト送信部と、
前記サーバにおいて生成された画面を受け取り、それを前記オーバーラップウィンドウに表示する表示処理部と、を有しており、
前記サーバは、
予め定められたキーワードと、そのキーワードに関する情報が記載されたウェブサイトのＵＲＬとを対応づけて記憶する辞書記憶部と、
前記ユーザ端末からテキストを受け取るテキスト受取部と、
前記テキストに前記辞書記憶部に記憶するキーワードが含まれているかを判定し、含まれている場合にはそのキーワードとＵＲＬとを抽出し、前記ユーザ端末から受け取った重畳領域の座標とテキストの座標とに基づいて、前記テキストに含まれるキーワードの位置に、前記リンク先のＵＲＬに対するリンクを張り付けた上で、リンクがあることを示す情報を付した画面を生成し、その画面を前記ユーザ端末に送信する画面生成部と、
を有することを特徴とするウィンドウ表示システム。
【請求項３】
前記テキスト取得部は、
前記元ウィンドウの重畳領域に表示されるデータを、前記ユーザ端末のＶＲＡＭから抽出し、それを文字認識することによってテキストを取得する、
ことを特徴とする請求項１または請求項２に記載のウィンドウ表示システム。
【請求項４】
前記画面生成部は、
前記生成する画面の背景色を透過状態として設定した画面を生成する、
ことを特徴とする請求項１から請求項３のいずれかに記載のウィンドウ表示システム。
【請求項５】
前記オーバーラップウィンドウに表示される画面は、
前記元ウィンドウのリンクの表示とは異なる表示形態である、
ことを特徴とする請求項１から請求項４のいずれかに記載のウィンドウ表示システム。
【請求項６】
ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムであって、
前記ユーザ端末におけるオーバーラップウィンドウ処理部は、
前記元ウィンドウとオーバーラップウィンドウとの重畳領域における前記元ウィンドウの地図情報の位置を示す位置情報を取得する位置情報取得部と、
前記取得した位置情報を所定のサーバに送信する位置情報送信部と、
前記位置情報に基づいて前記地図情報に含まれる範囲の情報と、そのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記サーバから受け取った情報に、リンク先のＵＲＬに対するリンクを張り付けた上でリンクがあることを示す情報を付した画面を生成し、その画面を前記オーバーラップウィンドウに表示する表示処理部と、を有しており、
前記サーバは、
予め定められた位置情報に対応づけられた情報と、その情報が記載されたウェブサイトのＵＲＬとを対応づけて記憶する辞書記憶部と、
前記ユーザ端末から位置情報を受け取る位置情報受取部と、
前記位置情報に基づいて指定された範囲に、前記辞書記憶部に記憶する情報の位置情報が含まれているかを判定し、含まれている場合にはその情報とＵＲＬとを抽出して前記ユーザ端末に送信するリンク判定部と、
を有することを特徴とするウィンドウ表示システム。
【請求項７】
ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムであって、
前記ユーザ端末におけるオーバーラップウィンドウ処理部は、
前記元ウィンドウとオーバーラップウィンドウとの重畳領域における前記元ウィンドウの地図情報の位置を示す位置情報を取得する位置情報取得部と、
前記取得した位置情報を所定のサーバに送信する位置情報送信部と、
前記サーバにおいて生成された画面を受け取り、それを前記オーバーラップウィンドウに表示する表示処理部と、を有しており、
前記サーバは、
予め定められた位置情報に対応づけられた情報と、その情報が記載されたウェブサイトのＵＲＬとを対応づけて記憶する辞書記憶部と、
前記ユーザ端末から位置情報を受け取る位置情報受取部と、
前記位置情報に基づいて指定された範囲に、前記辞書記憶部に記憶する情報の位置情報が含まれているかを判定し、含まれている場合にはその情報とＵＲＬとを抽出し、前記抽出した情報に、リンク先のＵＲＬに対するリンクを張り付けた上でリンクがあることを示す情報を付した画面を生成し、その画面を前記ユーザ端末に送信する画面生成部と、
を有することを特徴とするウィンドウ表示システム。
【請求項８】
前記位置情報送信部は、更に、
前記オーバーラップウィンドウの重畳領域の座標を前記サーバに送信し、
前記画面生成部は、更に、
前記位置情報に基づいて指定された範囲に、前記辞書記憶部に記憶する情報の位置情報が含まれているかを判定し、含まれている場合にはその情報とＵＲＬとを抽出し、前記重畳領域以外の位置において、前記抽出した情報に、リンク先のＵＲＬに対するリンクを張り付けた上でリンクがあることを示す情報を付した画面を生成し、その画面を前記ユーザ端末に送信する、
ことを特徴とする請求項７に記載のウィンドウ表示システム。
【請求項９】
前記位置情報に対応づけられた情報として、
前記位置情報における店舗の情報である、
ことを特徴とする請求項６から請求項８のいずれかに記載のウィンドウ表示システム。
【請求項１０】
前記オーバーラップウィンドウ処理部は、更に、
前記元ウィンドウのスクロールの状態を監視し、スクロールされたことを検出すると、前記表示したオーバーラップウィンドウを消し、前記元ウィンドウのスクロールが終了したことを検出すると、前記オーバーラップウィンドウについて、再度、表示を行う、
ことを特徴とする請求項１から請求項９のいずれかに記載のウィンドウ表示システム。
【請求項１１】
ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末であって、
前記ユーザ端末におけるオーバーラップウィンドウ処理部は、
前記元ウィンドウとオーバーラップウィンドウとの重畳領域における前記元ウィンドウのテキストを取得するテキスト取得部と、
前記取得したテキストを所定のサーバに送信するテキスト送信部と、
前記テキストに含まれるキーワードとそのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記表示した画像における前記キーワードに対応する部分について、前記リンク先のＵＲＬに対するリンクを張り付けた上でリンクがあることを示す情報を付した画面を生成し、その画面を前記オーバーラップウィンドウに表示する表示処理部と、を有しており、
前記サーバにおいて、
前記ユーザ端末から受け取ったテキストに基づいて、予めサーバで記憶しているキーワードが含まれているかを判定し、そのキーワードに対応するＵＲＬとキーワードとを前記ユーザ端末に送信させる、
ことを特徴とするウィンドウ表示システムにおけるユーザ端末。
【請求項１２】
ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末であって、
前記ユーザ端末におけるオーバーラップウィンドウ処理部は、
前記元ウィンドウとオーバーラップウィンドウとの重畳領域における前記元ウィンドウのテキストを取得するテキスト取得部と、
前記取得したテキストと、前記オーバーラップウィンドウにおける重畳領域の座標と各テキストの座標とを所定のサーバに送信するテキスト送信部と、
前記サーバにおいて生成された画面を受け取り、それを前記オーバーラップウィンドウに表示する表示処理部と、を有しており、
前記サーバにおいて、
前記ユーザ端末から受け取ったテキストに基づいて、予めサーバで記録しているキーワードが含まれているかを判定し、そのキーワードに対応するＵＲＬを抽出し、前記ユーザ端末から受け取った重畳領域の座標とテキストの座標とに基づいて、前記テキストに含まれるキーワードの位置に、前記リンク先のＵＲＬに対するリンクを張り付けた上で、リンクがあることを示す情報を付した画面を生成し、その画面を前記ユーザ端末に送信させる、
ことを特徴とするウィンドウ表示システムにおけるユーザ端末。
【請求項１３】
ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末であって、
前記ユーザ端末におけるオーバーラップウィンドウ処理部は、
前記元ウィンドウとオーバーラップウィンドウとの重畳領域における前記元ウィンドウの地図情報の位置を示す位置情報を取得する位置情報取得部と、
前記取得した位置情報を所定のサーバに送信する位置情報送信部と、
前記位置情報に基づいて前記地図情報に含まれる範囲の情報と、そのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記サーバから受け取った情報に、リンク先のＵＲＬに対するリンクを張り付けた上でリンクがあることを示す情報を付した画面を生成し、その画面を前記オーバーラップウィンドウに表示する表示処理部と、を有しており、
前記サーバにおいて、
前記ユーザ端末から受け取った位置情報に基づいて指定された範囲に、予めサーバで記憶している情報の位置情報が含まれているかを判定し、含まれている場合にはその情報とＵＲＬとを抽出して前記ユーザ端末に送信させる、
ことを特徴とするウィンドウ表示システムにおけるユーザ端末。
【請求項１４】
ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末であって、
前記ユーザ端末におけるオーバーラップウィンドウ処理部は、
前記元ウィンドウとオーバーラップウィンドウとの重畳領域における前記元ウィンドウの地図情報の位置を示す位置情報を取得する位置情報取得部と、
前記取得した位置情報を所定のサーバに送信する位置情報送信部と、
前記サーバにおいて生成された画面を受け取り、それを前記オーバーラップウィンドウに表示する表示処理部と、を有しており、
前記サーバにおいて、
前記ユーザ端末から受け取った位置情報に基づいて指定された範囲に、予めサーバで記憶している情報の位置情報が含まれているかを判定し、含まれている場合にはその情報とＵＲＬとを抽出して、前記抽出した情報に、リンク先のＵＲＬに対するリンクを張り付けた上でリンクがあることを示す情報を付した画面を生成し、その画面を前記ユーザ端末に送信させる、
ことを特徴とするウィンドウ表示システムにおけるユーザ端末。
【請求項１５】
ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末を機能させるプログラムであって、
前記プログラムは、前記ユーザ端末を、
前記元ウィンドウとオーバーラップウィンドウとの重畳領域における前記元ウィンドウのテキストを取得するテキスト取得部、
前記取得したテキストを所定のサーバに送信するテキスト送信部、
前記テキストに含まれるキーワードとそのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記表示した画像における前記キーワードに対応する部分について、前記リンク先のＵＲＬに対するリンクを張り付けた上でリンクがあることを示す情報を付した画面を生成し、その画面を前記オーバーラップウィンドウに表示する表示処理部、として機能させ、
前記サーバにおいて、
前記ユーザ端末から受け取ったテキストに基づいて、予めサーバで記憶しているキーワードが含まれているかを判定し、そのキーワードに対応するＵＲＬとキーワードとを前記ユーザ端末に送信させる、
ことを特徴とするプログラム。
【請求項１６】
ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末を機能させるプログラムであって、
前記プログラムは、前記ユーザ端末を、
前記元ウィンドウとオーバーラップウィンドウとの重畳領域における前記元ウィンドウのテキストを取得するテキスト取得部、
前記取得したテキストと、前記オーバーラップウィンドウにおける重畳領域の座標と各テキストの座標とを所定のサーバに送信するテキスト送信部、
前記サーバにおいて生成された画面を受け取り、それを前記オーバーラップウィンドウに表示する表示処理部、として機能させ、
前記サーバにおいて、
前記ユーザ端末から受け取ったテキストに基づいて、予めサーバで記録しているキーワードが含まれているかを判定し、そのキーワードに対応するＵＲＬを抽出し、前記ユーザ端末から受け取った重畳領域の座標とテキストの座標とに基づいて、前記テキストに含まれるキーワードの位置に、前記リンク先のＵＲＬに対するリンクを張り付けた上で、リンクがあることを示す情報を付した画面を生成し、その画面を前記ユーザ端末に送信させる、
ことを特徴とするプログラム。
【請求項１７】
ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末を機能させるプログラムであって、
前記プログラムは、前記ユーザ端末を、
前記元ウィンドウとオーバーラップウィンドウとの重畳領域における前記元ウィンドウの地図情報の位置を示す位置情報を取得する位置情報取得部、
前記取得した位置情報を所定のサーバに送信する位置情報送信部、
前記位置情報に基づいて前記地図情報に含まれる範囲の情報と、そのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記サーバから受け取った情報に、リンク先のＵＲＬに対するリンクを張り付けた上でリンクがあることを示す情報を付した画面を生成し、その画面を前記オーバーラップウィンドウに表示する表示処理部、として機能させ、
前記サーバにおいて、
前記ユーザ端末から受け取った位置情報に基づいて指定された範囲に、予めサーバで記憶している情報の位置情報が含まれているかを判定し、含まれている場合にはその情報とＵＲＬとを抽出して前記ユーザ端末に送信させる、
ことを特徴とするプログラム。
【請求項１８】
ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末を機能させるプログラムであって、
前記プログラムは、前記ユーザ端末を、
前記元ウィンドウとオーバーラップウィンドウとの重畳領域における前記元ウィンドウの地図情報の位置を示す位置情報を取得する位置情報取得部、
前記取得した位置情報を所定のサーバに送信する位置情報送信部、
前記サーバにおいて生成された画面を受け取り、それを前記オーバーラップウィンドウに表示する表示処理部、として機能させ、
前記サーバにおいて、
前記ユーザ端末から受け取った位置情報に基づいて指定された範囲に、予めサーバで記憶している情報の位置情報が含まれているかを判定し、含まれている場合にはその情報とＵＲＬとを抽出して、前記抽出した情報に、リンク先のＵＲＬに対するリンクを張り付けた上でリンクがあることを示す情報を付した画面を生成し、その画面を前記ユーザ端末に送信させる、
ことを特徴とするプログラム。
【発明の詳細な説明】
【技術分野】
【０００１】
本発明は、コンピュータにおけるウィンドウ表示システムにかかる。より詳細には、ウェブサイトなどを表示しているウィンドウに、新たなウィンドウを重畳して表示させることによって、元のウィンドウに表示している情報を新たなウィンドウによっても表示する、ウィンドウ表示システムに関する。
【背景技術】
【０００２】
コンピュータ（本明細書では、携帯電話機、ＰＨＳ、ＰＤＡなどの可搬型通信端末も含む）ではウェブサイトがウィンドウに表示され、そのウェブサイトに記載されているリンクが張られたテキストをユーザがクリックすることによって、リンク先のウェブサイトに接続し、当該ウィンドウに新たなウェブサイトの内容が表示される。そしてこのリンクを自動的に生成するシステムが下記特許文献１、特許文献２に開示されている。【０００３】
また上述のウィンドウは、コンピュータの画面で複数表示することが出来る。しかしウィンドウを重畳して表示すると、下になったウィンドウは、上になったウィンドウに隠れてしまい、その内容が表示されなくなる。それを解決するために、上になったウィンドウを透明にすることによって、一つの画面で表示できる情報量を増やすことが出来るシステムが下記特許文献３乃至特許文献６に開示されている。【０００４】
【特許文献１】特開平７−３２５８２７号公報
【特許文献２】特開２００６−４３０８号公報
【特許文献３】特開平６−３０１５０５号公報
【特許文献４】特開平７−１０４７２４号公報
【特許文献５】特開平８−２９２７５８号公報
【特許文献６】特開２００２−３２１６８号公報
【発明の開示】
【発明が解決しようとする課題】
【０００５】
上述のように、上になったウィンドウを透過して、下になったウィンドウを表示したとしても、下のウィンドウに表示されているウェブサイトなどのリンクを選択するためには、下のウィンドウをアクティブウィンドウにしなければならない（処理対象となるウィンドウにしなければならない）。またそもそもリンク先として選択できるテキストは、ウェブサイトで予め設定されたテキストに限られてしまうし、リンク先となるウェブサイトも、そのウェブサイトで設定されているものに限定されてしまう。【０００６】
つまり、ウェブサイトに存在するテキストでリンクが張られていないものについて、ユーザが知りたい場合には、別のウィンドウを立ち上げて、検索サイトなどから個別に検索をしなければならない。またウェブサイトで予め設定されているリンク先のウェブサイト以外のウェブサイトに、当該リンクから辿ろうと思ってもリンクを選択するだけではたどり着くことが出来ない。
【課題を解決するための手段】
【０００７】
そこで本願発明者らは、ウェブサイトのウィンドウに新たなウィンドウを重畳して表示させ、上に位置するウェブサイトに、下のウェブサイトのテキストのリンクを自動的に生成したものを表示させることにより、ウェブサイトの作成者が設定した以上のリンクを自動生成することが可能なウィンドウ表示システムを発明した。【０００８】
請求項１の発明は、ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムであって、前記ユーザ端末におけるオーバーラップウィンドウ処理部は、前記元ウィンドウとオーバーラップウィンドウとの重畳領域における前記元ウィンドウのテキストを取得するテキスト取得部と、前記取得したテキストを所定のサーバに送信するテキスト送信部と、前記テキストに含まれるキーワードとそのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記表示した画像における前記キーワードに対応する部分について、前記リンク先のＵＲＬに対するリンクを張り付けた上でリンクがあることを示す情報を付した画面を生成し、その画面を前記オーバーラップウィンドウに表示する表示処理部と、を有しており、前記サーバは、予め定められたキーワードと、そのキーワードに関する情報が記載されたウェブサイトのＵＲＬとを対応づけて記憶する辞書記憶部と、前記ユーザ端末からテキストを受け取るテキスト受取部と、前記テキストに前記辞書記憶部に記憶するキーワードが含まれているかを判定し、含まれている場合にはそのキーワードとＵＲＬとを抽出して前記ユーザ端末に送信するリンク判定部と、を有するウィンドウ表示システムである。【０００９】
本発明のように構成することで、オーバーラップウィンドウと元ウィンドウとの重畳領域における元ウィンドウの画面を、オーバーラップウィンドウの同じ位置に表示することが出来る。そしてそのオーバーラップウィンドウでは、リンクが張られたものが表示されているので、仮に元ウィンドウにリンクが存在しなくてもリンク先のウェブサイトに飛ぶことが出来る。【００１０】
請求項２の発明は、ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムであって、前記ユーザ端末におけるオーバーラップウィンドウ処理部は、前記元ウィンドウとオーバーラップウィンドウとの重畳領域における前記元ウィンドウのテキストを取得するテキスト取得部と、前記取得したテキストと、前記オーバーラップウィンドウにおける重畳領域の座標と各テキストの座標とを所定のサーバに送信するテキスト送信部と、前記サーバにおいて生成された画面を受け取り、それを前記オーバーラップウィンドウに表示する表示処理部と、を有しており、前記サーバは、予め定められたキーワードと、そのキーワードに関する情報が記載されたウェブサイトのＵＲＬとを対応づけて記憶する辞書記憶部と、前記ユーザ端末からテキストを受け取るテキスト受取部と、前記テキストに前記辞書記憶部に記憶するキーワードが含まれているかを判定し、含まれている場合にはそのキーワードとＵＲＬとを抽出し、前記ユーザ端末から受け取った重畳領域の座標とテキストの座標とに基づいて、前記テキストに含まれるキーワードの位置に、前記リンク先のＵＲＬに対するリンクを張り付けた上で、リンクがあることを示す情報を付した画面を生成し、その画面を前記ユーザ端末に送信する画面生成部と、を有するウィンドウ表示システムである。【００１１】
本発明のように構成することで、オーバーラップウィンドウと元ウィンドウとの重畳領域における元ウィンドウの画面を、オーバーラップウィンドウを透過して見ることが出来る。そしてオーバーラップウィンドウには、元ウィンドウのテキストに対応する位置にリンクが張られた状態となっている。そしてオーバーラップウィンドウは元ウィンドウに重畳した位置にあるので、ユーザは元ウィンドウのテキストを選択する感覚で、オーバーラップウィンドウのリンクを選択することとなる。これによって、仮に元ウィンドウにリンクが存在しなくてもリンク先のウェブサイトに飛ぶことが出来る。【００１２】
請求項３の発明において、前記テキスト取得部は、前記元ウィンドウの重畳領域に表示されるデータを、前記ユーザ端末のＶＲＡＭから抽出し、それを文字認識することによってテキストを取得する、ウィンドウ表示システムである。【００１３】
ＶＲＡＭは画面にどのような情報を表示するのかを管理・記憶している。従ってＶＲＡＭから元ウィンドウの重畳領域におけるデータを抽出し、それを文字認識することによって、その位置にある元ウィンドウのテキストを取得することが出来る。【００１４】
請求項４の発明において、前記画面生成部は、前記生成する画面の背景色を透過状態として設定した画面を生成する、ウィンドウ表示システムである。【００１５】
ウェブサーバにおいて生成する画面は透過状態で設定されていることが好ましい。これによって、ユーザはオーバーラップウィンドウを透過して元ウィンドウのテキストを見ることが出来る。【００１６】
請求項５の発明において、前記オーバーラップウィンドウに表示される画面は、前記元ウィンドウのリンクの表示とは異なる表示形態である、ウィンドウ表示システムである。【００１７】
オーバーラップウィンドウに設けられるリンクは、元ウィンドウによって設定されているリンクとは異なるものである。そこで元ウィンドウによって設定されているリンクと、オーバーラップウィンドウによって新たに設けられたリンクとを識別させるために、その違いが認識できる表示形態で示されていることが好ましい。【００１８】
請求項６の発明は、ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムであって、前記ユーザ端末におけるオーバーラップウィンドウ処理部は、前記元ウィンドウとオーバーラップウィンドウとの重畳領域における前記元ウィンドウの地図情報の位置を示す位置情報を取得する位置情報取得部と、前記取得した位置情報を所定のサーバに送信する位置情報送信部と、前記位置情報に基づいて前記地図情報に含まれる範囲の情報と、そのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記サーバから受け取った情報に、リンク先のＵＲＬに対するリンクを張り付けた上でリンクがあることを示す情報を付した画面を生成し、その画面を前記オーバーラップウィンドウに表示する表示処理部と、を有しており、前記サーバは、予め定められた位置情報に対応づけられた情報と、その情報が記載されたウェブサイトのＵＲＬとを対応づけて記憶する辞書記憶部と、前記ユーザ端末から位置情報を受け取る位置情報受取部と、前記位置情報に基づいて指定された範囲に、前記辞書記憶部に記憶する情報の位置情報が含まれているかを判定し、含まれている場合にはその情報とＵＲＬとを抽出して前記ユーザ端末に送信するリンク判定部と、を有するウィンドウ表示システムである。【００１９】
本発明のように構成することで、オーバーラップウィンドウと元ウィンドウとの重畳領域における元ウィンドウの画面を、オーバーラップウィンドウの同じ位置に表示することが出来る。そしてそのオーバーラップウィンドウでは、元ウィンドウで表示されている地図情報に関連する情報と、それに関する情報のウェブサイトへのリンクが張られているので、仮に元ウィンドウにリンクが存在しなくてもリンク先のウェブサイトに飛ぶことが出来る。【００２０】
請求項７の発明は、ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムであって、前記ユーザ端末におけるオーバーラップウィンドウ処理部は、前記元ウィンドウとオーバーラップウィンドウとの重畳領域における前記元ウィンドウの地図情報の位置を示す位置情報を取得する位置情報取得部と、前記取得した位置情報を所定のサーバに送信する位置情報送信部と、前記サーバにおいて生成された画面を受け取り、それを前記オーバーラップウィンドウに表示する表示処理部と、を有しており、前記サーバは、予め定められた位置情報に対応づけられた情報と、その情報が記載されたウェブサイトのＵＲＬとを対応づけて記憶する辞書記憶部と、前記ユーザ端末から位置情報を受け取る位置情報受取部と、前記位置情報に基づいて指定された範囲に、前記辞書記憶部に記憶する情報の位置情報が含まれているかを判定し、含まれている場合にはその情報とＵＲＬとを抽出し、前記抽出した情報に、リンク先のＵＲＬに対するリンクを張り付けた上でリンクがあることを示す情報を付した画面を生成し、その画面を前記ユーザ端末に送信する画面生成部と、を有するウィンドウ表示システムである。【００２１】
本発明のように構成することで、オーバーラップウィンドウと元ウィンドウとの重畳領域における元ウィンドウの画面を、オーバーラップウィンドウを透過して見ることが出来る。そしてオーバーラップウィンドウには、元ウィンドウで表示されている地図情報に関連する情報と、それに関する情報のウェブサイトへのリンクが張られているので、仮に元ウィンドウにリンクが存在しなくてもリンク先のウェブサイトに飛ぶことが出来る。【００２２】
請求項８の発明において、前記位置情報送信部は、更に、前記オーバーラップウィンドウの重畳領域の座標を前記サーバに送信し、前記画面生成部は、更に、前記位置情報に基づいて指定された範囲に、前記辞書記憶部に記憶する情報の位置情報が含まれているかを判定し、含まれている場合にはその情報とＵＲＬとを抽出し、前記重畳領域以外の位置において、前記抽出した情報に、リンク先のＵＲＬに対するリンクを張り付けた上でリンクがあることを示す情報を付した画面を生成し、その画面を前記ユーザ端末に送信する、ウィンドウ表示システムである。【００２３】
上述の発明において、重畳領域とは異なる位置に、ＵＲＬなどのリンクを設けることが良い。通常、重畳領域には地図情報が表示されているので、その表示と重なってしまい、見にくくなる場合があるからである。【００２４】
請求項９の発明において、前記位置情報に対応づけられた情報として、前記位置情報における店舗の情報である、ウィンドウ表示システムである。【００２５】
本発明によって、元ウィンドウに表示されている地図情報に含まれる範囲内に位置する店舗の情報と、そのリンク先のＵＲＬとを、オーバーラップウィンドウに表示することが出来る。【００２６】
請求項１０の発明において、前記オーバーラップウィンドウ処理部は、更に、前記元ウィンドウのスクロールの状態を監視し、スクロールされたことを検出すると、前記表示したオーバーラップウィンドウを消し、前記元ウィンドウのスクロールが終了したことを検出すると、前記オーバーラップウィンドウについて、再度、表示を行う、ウィンドウ表示システムである。【００２７】
元ウィンドウの画面はスクロールされる場合もあり得る。そうなるとオーバーラップウィンドウに表示されているリンクなどがずれてしまう。そうするとユーザがリンクを正確に選択できなくなってしまうので、スクロール終了後に、再度、オーバーラップウィンドウを表示する処理を行うことで、この問題点を解決することができる。【００２８】
請求項１１の発明は、ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末であって、前記ユーザ端末におけるオーバーラップウィンドウ処理部は、前記元ウィンドウとオーバーラップウィンドウとの重畳領域における前記元ウィンドウのテキストを取得するテキスト取得部と、前記取得したテキストを所定のサーバに送信するテキスト送信部と、前記テキストに含まれるキーワードとそのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記表示した画像における前記キーワードに対応する部分について、前記リンク先のＵＲＬに対するリンクを張り付けた上でリンクがあることを示す情報を付した画面を生成し、その画面を前記オーバーラップウィンドウに表示する表示処理部と、を有しており、前記サーバにおいて、前記ユーザ端末から受け取ったテキストに基づいて、予めサーバで記憶しているキーワードが含まれているかを判定し、そのキーワードに対応するＵＲＬとキーワードとを前記ユーザ端末に送信させる、ウィンドウ表示システムにおけるユーザ端末である。【００２９】
請求項１におけるユーザ端末は、本発明のように構成することが出来る。【００３０】
請求項１２の発明は、ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末であって、前記ユーザ端末におけるオーバーラップウィンドウ処理部は、前記元ウィンドウとオーバーラップウィンドウとの重畳領域における前記元ウィンドウのテキストを取得するテキスト取得部と、前記取得したテキストと、前記オーバーラップウィンドウにおける重畳領域の座標と各テキストの座標とを所定のサーバに送信するテキスト送信部と、前記サーバにおいて生成された画面を受け取り、それを前記オーバーラップウィンドウに表示する表示処理部と、を有しており、前記サーバにおいて、前記ユーザ端末から受け取ったテキストに基づいて、予めサーバで記録しているキーワードが含まれているかを判定し、そのキーワードに対応するＵＲＬを抽出し、前記ユーザ端末から受け取った重畳領域の座標とテキストの座標とに基づいて、前記テキストに含まれるキーワードの位置に、前記リンク先のＵＲＬに対するリンクを張り付けた上で、リンクがあることを示す情報を付した画面を生成し、その画面を前記ユーザ端末に送信させる、ウィンドウ表示システムにおけるユーザ端末である。【００３１】
請求項２におけるユーザ端末は、本発明のように構成することが出来る。【００３２】
請求項１３の発明は、ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末であって、前記ユーザ端末におけるオーバーラップウィンドウ処理部は、前記元ウィンドウとオーバーラップウィンドウとの重畳領域における前記元ウィンドウの地図情報の位置を示す位置情報を取得する位置情報取得部と、前記取得した位置情報を所定のサーバに送信する位置情報送信部と、前記位置情報に基づいて前記地図情報に含まれる範囲の情報と、そのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記サーバから受け取った情報に、リンク先のＵＲＬに対するリンクを張り付けた上でリンクがあることを示す情報を付した画面を生成し、その画面を前記オーバーラップウィンドウに表示する表示処理部と、を有しており、前記サーバにおいて、前記ユーザ端末から受け取った位置情報に基づいて指定された範囲に、予めサーバで記憶している情報の位置情報が含まれているかを判定し、含まれている場合にはその情報とＵＲＬとを抽出して前記ユーザ端末に送信させる、ウィンドウ表示システムにおけるユーザ端末である。【００３３】
請求項６におけるユーザ端末は、本発明のように構成することが出来る。【００３４】
請求項１４の発明は、ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末であって、前記ユーザ端末におけるオーバーラップウィンドウ処理部は、前記元ウィンドウとオーバーラップウィンドウとの重畳領域における前記元ウィンドウの地図情報の位置を示す位置情報を取得する位置情報取得部と、前記取得した位置情報を所定のサーバに送信する位置情報送信部と、前記サーバにおいて生成された画面を受け取り、それを前記オーバーラップウィンドウに表示する表示処理部と、を有しており、前記サーバにおいて、前記ユーザ端末から受け取った位置情報に基づいて指定された範囲に、予めサーバで記憶している情報の位置情報が含まれているかを判定し、含まれている場合にはその情報とＵＲＬとを抽出して、前記抽出した情報に、リンク先のＵＲＬに対するリンクを張り付けた上でリンクがあることを示す情報を付した画面を生成し、その画面を前記ユーザ端末に送信させる、ウィンドウ表示システムにおけるユーザ端末である。【００３５】
請求項７におけるユーザ端末は、本発明のように構成することが出来る。【００３６】
請求項１５の発明は、ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末を機能させるプログラムであって、前記プログラムは、前記ユーザ端末を、前記元ウィンドウとオーバーラップウィンドウとの重畳領域における前記元ウィンドウのテキストを取得するテキスト取得部、前記取得したテキストを所定のサーバに送信するテキスト送信部、前記テキストに含まれるキーワードとそのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記表示した画像における前記キーワードに対応する部分について、前記リンク先のＵＲＬに対するリンクを張り付けた上でリンクがあることを示す情報を付した画面を生成し、その画面を前記オーバーラップウィンドウに表示する表示処理部、として機能させ、前記サーバにおいて、前記ユーザ端末から受け取ったテキストに基づいて、予めサーバで記憶しているキーワードが含まれているかを判定し、そのキーワードに対応するＵＲＬとキーワードとを前記ユーザ端末に送信させる、プログラムである。【００３７】
請求項１１におけるユーザ端末は、本発明のプログラムを実行することによって実現できる。【００３８】
請求項１６の発明は、ユーザ端末の表示装置において表示した元ウィンドウに重畳して表示するオーバーラップウィンドウに、前記元ウィンドウの重畳領域におけるテキストに対するリンクを張った画面を表示させるウィンドウ表示システムにおけるユーザ端末を機能させるプログラムであって、前記プログラムは、前記ユーザ端末を、前記元ウィンドウとオーバーラップウィンドウとの重畳領域における前記元ウィンドウのテキストを取得するテキスト取得部、前記取得したテキストと、前記オーバーラップウィンドウにおける重畳領域の座標と各テキストの座標とを所定のサーバに送信するテキスト送信部、前記サーバにおいて生成された画面を受け取り、それを前記オーバーラップウィンドウに表示する表示処理部、として機能させ、前記サーバにおいて、前記ユーザ端末から受け取ったテキストに基づいて、予めサーバで記録しているキーワードが含まれているかを判定し、そのキーワードに対応するＵＲＬを抽出し、前記ユーザ端末から受け取った重畳領域の座標とテキストの座標とに基づいて、前記テキストに含まれるキーワードの位置に、前記リンク先のＵＲＬに対するリンクを張り付けた上で、リンクがあることを示す情報を付した画面を生成し、その画面を前記ユーザ端末に送信させる、プログラムである。【００３９】
請求項１２におけるユーザ端末は、本発明のプログラムを実行することによって実現できる。【００４０】
請求項１７の発明は、ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末を機能させるプログラムであって、前記プログラムは、前記ユーザ端末を、前記元ウィンドウとオーバーラップウィンドウとの重畳領域における前記元ウィンドウの地図情報の位置を示す位置情報を取得する位置情報取得部、前記取得した位置情報を所定のサーバに送信する位置情報送信部、前記位置情報に基づいて前記地図情報に含まれる範囲の情報と、そのリンク先のＵＲＬとを少なくとも前記サーバから受け取り、前記重畳領域における前記元ウィンドウの画像をＶＲＡＭから抽出することによって、前記オーバーラップウィンドウの重畳領域に表示し、前記サーバから受け取った情報に、リンク先のＵＲＬに対するリンクを張り付けた上でリンクがあることを示す情報を付した画面を生成し、その画面を前記オーバーラップウィンドウに表示する表示処理部、として機能させ、前記サーバにおいて、前記ユーザ端末から受け取った位置情報に基づいて指定された範囲に、予めサーバで記憶している情報の位置情報が含まれているかを判定し、含まれている場合にはその情報とＵＲＬとを抽出して前記ユーザ端末に送信させる、プログラムである。【００４１】
請求項１３におけるユーザ端末は、本発明のプログラムを実行することによって実現できる。【００４２】
請求項１８の発明は、ユーザ端末の表示装置において表示した元ウィンドウに重畳して表示するオーバーラップウィンドウに、前記元ウィンドウにおける地図情報に含まれる範囲の情報に対してリンクを張った画面を表示させるウィンドウ表示システムにおけるユーザ端末を機能させるプログラムであって、前記プログラムは、前記ユーザ端末を、前記元ウィンドウとオーバーラップウィンドウとの重畳領域における前記元ウィンドウの地図情報の位置を示す位置情報を取得する位置情報取得部、前記取得した位置情報を所定のサーバに送信する位置情報送信部、前記サーバにおいて生成された画面を受け取り、それを前記オーバーラップウィンドウに表示する表示処理部、として機能させ、前記サーバにおいて、前記ユーザ端末から受け取った位置情報に基づいて指定された範囲に、予めサーバで記憶している情報の位置情報が含まれているかを判定し、含まれている場合にはその情報とＵＲＬとを抽出して、前記抽出した情報に、リンク先のＵＲＬに対するリンクを張り付けた上でリンクがあることを示す情報を付した画面を生成し、その画面を前記ユーザ端末に送信させる、プログラムである。【００４３】
請求項１４におけるユーザ端末は、本発明のプログラムを実行することによって実現できる。
【発明の効果】
【００４４】
本発明によって、ウェブサイトに重畳して表示したウィンドウ（オーバーラップウィンドウ）に、下に位置するウェブサイトの表示をリンクを含めて行うことが出来る。またそのリンクは、下に位置するウェブサイトのリンクにとらわれることなく処理されるので、ウェブサイトの作成者が設定した以上のリンクを表示することが可能となる。
【図面の簡単な説明】
【００４５】
【図１】実施例１のシステム構成の概念図である。
【図２】ハードウェア構成の概念図である。
【図３】実施例１、実施例２における処理プロセスの一例を模式的に示すフローチャートである。
【図４】オーバーラップウィンドウと元ウィンドウの座標を示す図である。
【図５】辞書記憶部１１を模式的に示す概念図である。
【図６】実施例１，実施例２における全体の処理を模式的に示す図である。
【図７】元ウィンドウにテキストが表示された状態を模式的に示す図である。
【図８】オーバーラップウィンドウを模式的に示す図である。
【図９】元ウィンドウにオーバーラップウィンドウが重畳した直後の状態を模式的に示す図である。
【図１０】実施例１における処理が行われた場合のオーバーラップウィンドウの状態を模式的に示す図である。
【図１１】実施例２の場合のシステム構成の概念図である。
【図１２】実施例２においてウェブサーバで生成されるオーバーラップウィンドウを模式的に示す図である。
【図１３】実施例３の場合のシステム構成の概念図である。
【図１４】実施例３、実施例４における処理プロセスの一例を模式的に示すフローチャートである。
【図１５】元ウィンドウに地図情報が表示された状態を模式的に示す図である。
【図１６】元ウィンドウにオーバーラップウィンドウが重畳した直後の状態を模式的に示す図である。
【図１７】実施例３における処理が行われた場合のオーバーラップウィンドウの状態を模式的に示す図である。
【図１８】実施例４の場合のシステム構成の概念図である。
【図１９】実施例４においてウェブサーバで生成されるオーバーラップウィンドウを模式的に示す図である。
【図２０】実施例４における処理が行われた場合のオーバーラップウィンドウの状態を模式的に示す図である。
【図２１】実施例２における処理が行われた場合のオーバーラップウィンドウの状態を模式的に示す図である。
【符号の説明】
【００４６】
１：ウィンドウ表示システム
２：ユーザ端末
３：ウェブサーバ
４：オーバーラップウィンドウ処理部
５：テキスト取得部
６：テキスト送信部
７：表示処理部
８：スクロール処理部
９：テキスト受取部
１０：リンク判定部
１１：辞書記憶部
１２：画面生成部
１３：位置情報取得部
１４：位置情報送信部
１５：位置情報受取部
【発明を実施するための最良の形態】
【００４７】
本発明のウィンドウ表示システム１のシステム構成の概念図を図１に示す。ウィンドウ表示システム１は、ウェブサーバ３における各機能と、ユーザ端末２における各機能とを有する。【００４８】
またユーザ端末２におけるハードウェア構成の一例を模式的に図２に示す。本発明のウィンドウ表示システム１を実現するユーザ端末２には、プログラムの演算処理を実行するＣＰＵなどの演算装置と、情報を記憶するＲＡＭやハードディスクなどの記憶装置と、ディスプレイなどの表示装置と、キーボードやマウスやテンキーなどの入力装置と、情報をインターネットやＬＡＮなどのネットワークを介して送受信する通信装置とを有する。コンピュータ上で実現する各機能（各手段）は、その処理を実行する手段（プログラムやモジュールなど）が演算装置に読み込まれることで、その処理が実行される。各機能は記憶装置に記憶した情報をその処理において使用する場合には、該当する情報を当該記憶装置から読み出し、読み出した情報を適宜、演算装置における処理に用いる。また本発明のウィンドウ表示システム１を実現するウェブサーバ３には、少なくとも、演算装置と記憶装置と通信装置を備えている。【００４９】
本発明に於ける各手段は、その機能が論理的に区別されているのみであって、物理上あるいは事実上は同一の領域を為していても良い。またデータベースの代わりにデータファイルであっても良いことは言うまでもなく、データベースとの記載にはデータファイルをも含んでいる。【００５０】
ユーザ端末２には、本発明のユーザ端末２側の処理を実行するオーバーラップウィンドウ処理部４を備えている。オーバーラップウィンドウ処理部４は、ユーザ端末２の画面に表示されるウェブサイトを表示するウィンドウに重畳して表示させるウィンドウであるオーバーラップウィンドウに関する処理を実行する。なおオーバーラップウィンドウの下に位置するウィンドウを元ウィンドウと呼ぶこととする。【００５１】
オーバーラップウィンドウ処理部４は、テキスト取得部５とテキスト送信部６と表示処理部７とスクロール処理部８とを有する。【００５２】
テキスト取得部５は、オーバーラップウィンドウと元ウィンドウとで重畳している領域に表示されているテキストの情報を取得する。この際に、図４に示すように、オーバーラップウィンドウと元ウィンドウとによって重畳している領域の座標（Ｐ０，Ｐ１，Ｐ２，Ｐ３の各座標）を取得し、その座標によって構成される重畳領域のテキストを取得することとなる。【００５３】
テキスト送信部６は、テキスト取得部５で取得した重畳領域における元ウィンドウでのテキストをウェブサーバ３に送る。なお本発明のウィンドウ表示システム１におけるウェブサーバ３は、元ウィンドウで表示しているウェブサイトのウェブサーバ３とは異なっていることが好ましいが、同じであっても良い。【００５４】
表示処理部７は、ウェブサーバ３から取得したオーバーラップウィンドウで表示するウェブサイトの画面を、オーバーラップウィンドウで表示する処理を行う。例えば重畳領域について、オーバーラップウィンドウにおいて、ウェブサーバ３から受け取ったウェブサイトの画面を表示する。この際にオーバーラップウィンドウで表示されるウェブサイトの画面は、ユーザ端末２で生成した画面、あるいは本発明のウェブサーバ３において生成された画面であって、重畳領域におけるテキストについて、ウェブサーバ３でリンクの情報などが存在する場合には、そこにリンクが張られた状態の画面となる。なおオーバーラップウィンドウの背景表示を透過状態（背景を透明から半透明とした状態。透過状態とは、完全に透明でなくとも、オーバーラップウィンドウを透過して、元ウィンドウの画面が見える状態であれば良い）の場合には、リンクを示す情報（下線や所定のマークなど）のみであっても良い。【００５５】
スクロール処理部８は、元ウィンドウのスクロールの状態を監視しておき、元ウィンドウについてスクロールされたことを検出した場合、オーバーラップウィンドウを消して、再度、スクロールが終了したことを検出した場合に、テキスト取得部５、テキスト送信部６、表示処理部７における処理を再度行い、スクロール後の位置におけるオーバーラップウィンドウを表示させる。【００５６】
ウェブサーバ３には、テキスト受取部９とリンク判定部１０と辞書記憶部１１とを有している。【００５７】
テキスト受取部９は、オーバーラップウィンドウと元ウィンドウとの重畳領域で表示されているテキストを、ユーザ端末２から受け取る。【００５８】
リンク判定部１０は、テキスト受取部９でユーザ端末２から受け取ったテキストに、辞書記憶部１１（後述）に記憶したキーワードと同一または類似のテキストが含まれているかを判定し、含まれている場合にはそのリンク先のＵＲＬを抽出する。【００５９】
辞書記憶部１１は、キーワードとそのリンク先のＵＲＬが対応づけて記憶されているデータベースである。図５に辞書記憶部１１の一例を模式的に示す。この際のキーワードとしては、一般用語とその用語に対応したウェブサイトのＵＲＬ（辞書モード）、一般用語とそれに対応した異なる言語の翻訳を示すＵＲＬ（翻訳モード）、地名や位置情報に関する用語とそれに対応する地図のＵＲＬ（例えば地名が「首相官邸」の場合には、首相官邸の周辺地図のＵＲＬなど）（ロケーションモード）がある。これらの各モードはユーザの設定により切替可能である。
【実施例１】
【００６０】
まず本発明のウィンドウ表示システム１において、元ウィンドウに一般のニュース記事などが表示された場合の処理プロセスを図３のフローチャート、図１の概念図を用いて説明する。なおこの場合の全体の概念図を図６に示す。【００６１】
まずユーザは、ユーザ端末２で所定の操作を行うことにより、ウィンドウ（これが元ウィンドウとなる）を画面上で表示させる。そしてそのウィンドウから例えばインターネットを介してウェブサイトにアクセスする。そして図７に示すようなニュース記事が含まれる画面が当該ウィンドウで表示される（Ｓ１００）。【００６２】
例えば図７に表示されたニュース記事におけるテキストにはリンクなどが張られていなかったとする。そうすると、ユーザは、「内閣府」や「月例経済報告」などについて情報を知りたいと思った場合、別のウィンドウを立ち上げ、検索サイトなどで検索を行う必要がある。そこで本発明では、ユーザはこのような検索サイトを立ち上げるのではなく、所定の操作を行うことにより、あるいは元ウィンドウの起動と同時に、オーバーラップウィンドウをユーザ端末２の画面で表示する（Ｓ１１０）。この際に表示されるオーバーラップウィンドウの一例を図８に示す。【００６３】
このようにして表示されている元ウィンドウに、オーバーラップウィンドウをドラッグして重畳させる（Ｓ１２０）。そうするとオーバーラップウィンドウ処理部４のテキスト取得部５が、重畳した領域についての元ウィンドウにおけるテキストを取得する（Ｓ１３０）。【００６４】
つまりオーバーラップウィンドウ処理部４では、オーバーラップウィンドウとそれ以外のウィンドウの各座標を常時、または所定のタイミングで検出し（各ウィンドウの座標はＯＳから取得できる）、重なっていることを判定した場合には、その重畳領域の座標を算出する。図４の重畳の例では、元ウィンドウの４点の座標（Under(x0,y0)、Under(x1,y1)、Under(x2,y2)、Under(x3,y3)）と、オーバーラップウィンドウの４点の座標（Over(x0,y0)、Over(x1,y1)、Over(x2,y2)、Over(x3,y3)）を検出し、重畳を判定した場合には、重畳領域を構成する４点の座標（P0(x0,y0)、P1(x1,y1)、P2(x2,y2)、P3(x3,y3))を算出する。【００６５】
このようにして算出した４点の座標で構成された重畳領域について、元ウィンドウにおける表示画面の情報をＶＲＡＭから抽出する。つまり元ウィンドウにおけるＰ０乃至Ｐ４により構成される領域の表示画面の情報をユーザ端末２のＶＲＡＭから抽出する。そしてＶＲＡＭから抽出した情報に基づいて、それを文字認識することによって、当該重畳領域におけるテキストを取得する（Ｓ１３０）。【００６６】
図９に元ウィンドウにオーバーラップウィンドウを重畳した直後の状態を示す。従って、テキスト取得部５は、重畳領域における画像をＶＲＡＭから抽出し、その画像から当該領域におけるテキスト（図９の場合、「内閣府は２８日、９月中旬に公表する９月の月例経済報告」「する検討に入った。」「国内の需要と供給の差を表す需給ギャップや消費者物価指」、「標が着実に上向いているためで、小泉政権の経済運営の成」、「日本経済のデフレは１９９８年から始まったとされ、脱却は約８」）を取得する。【００６７】
このようにして取得した重畳領域におけるテキストを、テキスト送信部６がネットワークを介してウェブサーバ３に渡す。このテキストは、ウェブサーバ３のテキスト受取部９で受け取り、受け取ったテキストについて、リンク判定部１０が、そのテキストに含まれている用語のうち、辞書記憶部１１に対応するリンクの情報が含まれているかを判定する（Ｓ１４０）。【００６８】
辞書記憶部１１が図５に示すような場合、上述の抽出したテキストのうち、「内閣府」、「月例経済報告」、「需給ギャップ」、「小泉政権」、「デフレ」がキーワードとして含まれているので、それらのリンク先のＵＲＬを辞書記憶部１１からリンク判定部１０が抽出して、それらの情報をユーザ端末２に送る。【００６９】
キーワードとして存在したテキストと、そのリンク先のＵＲＬを受け取ったユーザ端末２のオーバーラップウィンドウ処理部４は、まずＶＲＡＭから抽出した元ウィンドウにおける重畳領域の画像をオーバーラップウィンドウの重畳領域、つまり同じ位置に描画する。そしてそこに描画された画像のうち、文字認識することによって、当該重畳領域におけるテキストを認識する。そして表示処理部７がウェブサーバ３から受け取った、キーワードとして存在したテキストの位置に、当該リンク先のＵＲＬをリンクとして貼り付ける（Ｓ１５０、Ｓ１６０）。リンク先のＵＲＬをリンクとして貼り付けるのは、例えば当該テキストの描画部分に下線を付したり、マークを付したりするなどにより行える。図１０ではテキストにリンクを張り付けた状態を示しており、リンクを示す情報として下線が付されている。【００７０】
このようにすることで、オーバーラップウィンドウと元ウィンドウの重畳領域の部分について、オーバーラップウィンドウに元ウィンドウと同じ情報が表示され、且つリンクも張られた画面が表示されていることとなる。なお、オーバーラップウィンドウの重畳領域以外の領域については、どのような表示であっても良く、例えば背景色が透過状態に設定された画面であることが好ましい。【００７１】
なおオーバーラップウィンドウの重畳領域には元ウィンドウと同じ情報が表示されているので、ユーザはオーバーラップウィンドウの存在を意識しない場合もある。そのような場合、元ウィンドウをスクロールすることもあり得る。【００７２】
それに備えて、オーバーラップウィンドウ処理部４のスクロール処理部８は、元ウィンドウのスクロールを監視し、元ウィンドウでスクロールが行われたことを検出すると（例えばウィンドウの縦や横方向のバーが上下されたことを検出すると）、表示処理部７で表示していたオーバーラップウィンドウを表示画面から消し、スクロール終了後、再度、オーバーラップウィンドウを同じ位置で表示して、Ｓ１３０以降の処理を実行する。これによって、スクロール後の元ウィンドウについても、オーバーラップウィンドウで同様に表示が行える。
【実施例２】
【００７３】
上述の実施例では、重畳領域における元ウィンドウの画像を、オーバーラップウィンドウの重畳領域の位置に表示し、その画像にリンクを貼り付ける処理を行うことによって、処理を実行していたが、オーバーラップウィンドウで表示する画面をウェブサーバ３で生成しても良い。その場合のシステム構成の概念図を図１１に示す。【００７４】
図１１のウェブサーバ３では、図１のウェブサーバ３の構成に加えて、更に画面生成部１２を備えている。【００７５】
画面生成部１２は、ユーザ端末２のオーバーラップウィンドウで表示させる画面を生成する。この画面では、重畳領域におけるリンクを示す情報とそのリンク先のＵＲＬとが含まれている。この際に表示する画面では、その背景色が透過状態に設定されていることが好ましい。【００７６】
以下に本実施例の場合の処理プロセスの一例を説明する。また本実施例においても、元ウィンドウに一般のニュース記事などが表示された場合を説明する。【００７７】
なおＳ１００からＳ１３０までの処理は、実施例１と同様なので説明を省略する。つまり、オーバーラップウィンドウは、元ウィンドウと重畳した領域について、ＶＲＡＭから抽出し、それを文字認識することによって当該重畳領域におけるテキストを取得する。そしてそれらのテキストをオーバーラップウィンドウ用のウェブサーバ３に送る。またオーバーラップウィンドウにおける重畳領域の相対座標（図４におけるＰ０乃至Ｐ４の、オーバーラップウィンドウにおける座標）と、各テキストの相対座標（オーバーラップウィンドウにおける重畳領域のテキストの座標）を送る。【００７８】
ユーザ端末２からオーバーラップウィンドウの重畳領域のテキストをウェブサーバ３のテキスト受取部９で受け取ると、受け取ったテキストについて、リンク判定部１０が、そのテキストに含まれている用語のうち、辞書記憶部１１に対応するリンクの情報が含まれているかを判定する（Ｓ１４０）。【００７９】
辞書記憶部１１が図５に示すような場合、上述の抽出したテキストのうち、「内閣府」、「月例経済報告」、「需給ギャップ」、「小泉政権」、「デフレ」がキーワードとして含まれているので、それらのリンク先のＵＲＬを辞書記憶部１１からリンク判定部１０が抽出する。【００８０】
リンク判定部１０が、テキストのうちキーワードとして含まれているものと、そのリンク先のＵＲＬを抽出すると、画面生成部１２が、オーバーラップウィンドウの画面について、背景色を透過状態（「#ffffff」など）で設定し、オーバーラップウィンドウの重畳領域を含む画面を生成する。この画面では、オーバーラップウィンドウの重畳領域における座標、重畳領域におけるテキストの座標をユーザ端末２から受け取っているので、当該キーワードの座標位置についてリンクを張った形式（例えばそのテキストの位置に下線を付す、マークを付けるなど）で画面を生成する。この状態のオーバーラップウィンドウに表示される画面の一例を図１２に示す。【００８１】
つまり図１２の画面では、背景色が透過状態に設定されており、重畳領域のテキストに含まれる辞書記憶部１１に記憶されているキーワードについて、リンクがあることを示す情報（下線やマークなど）を、ユーザ端末２から受け取った各テキストの相対座標に基づいて、当該テキストに含まれるキーワードの位置に表示する画面をオーバーラップウィンドウの画面として生成する。その為、図１２では、キーワードとして存在した「内閣府」、「月例経済報告」、「需給ギャップ」、「小泉政権」、「デフレ」の位置に、それらのテキストにリンクがあることを示す下線を付した画面を生成する（Ｓ１５０）。【００８２】
このようにして画面生成部１２で生成された画面は、ウェブサーバ３からユーザ端末２に送信される。そしてオーバーラップウィンドウ処理部４の表示処理部７で、上記画面を受け取り、オーバーラップウィンドウに表示する（Ｓ１６０）。このようにすることで、オーバーラップウィンドウではリンクがあることを示す情報が表示され、それを透過してテキストそのものは元ウィンドウのものをユーザは見ることが出来る。またオーバーラップウィンドウと元ウィンドウとの重畳領域の座標を取得し、その重畳領域の相対座標及び重畳領域に表示されているテキストの、オーバーラップウィンドウにおける相対座標をウェブサーバ３で取得して、対応する位置にリンクがあることを示す情報を付した画面を生成しているので、元ウィンドウのテキストに対応した位置にリンクがあることを示す情報（例えば下線）が表示されていることとなる。この状態が図２１に示された状態となる。【００８３】
また元ウィンドウのスクロールが行われた場合のスクロール処理部８における処理は、実施例１と同様に、実施例２におけるオーバーラップウィンドウの処理を同様に行えば良い。【００８４】
なお実施例１及び実施例２において、元ウィンドウにおけるリンクを示す情報と、オーバーラップウィンドウにおけるリンクを示す情報とを区別するために、オーバーラップウィンドウにおけるリンクを示す情報を、元ウィンドウにおけるリンクを示す情報と異なる色や表現形態（元ウィンドウが下線であれば、マークにするなど）を採ると良い。
【実施例３】
【００８５】
次に元ウィンドウに表示される情報がニュース記事などのテキスト情報ではなく、地図情報である場合を説明する。【００８６】
本実施例のウィンドウ表示システム１のシステム構成の概念図を図１３に、その処理プロセスの一例を図１４に示す。【００８７】
なお実施例１及び実施例２のテキスト取得部５、テキスト送信部６の代わりに、本実施例のユーザ端末２のオーバーラップウィンドウ処理部４では、位置情報取得部１３、位置情報送信部１４を備えており、ウェブサーバ３ではテキスト受取部９の代わりに位置情報受取部１５を備えている。【００８８】
位置情報取得部１３は、元ウィンドウで表示している地図情報の中心位置の位置情報、縮尺などの情報を取得する。【００８９】
位置情報送信部１４は、位置情報取得部１３で取得した位置情報、縮尺などの情報をウェブサーバ３に渡す。【００９０】
位置情報受取部１５は、ユーザ端末２から送られた、元ウィンドウにおける位置情報、縮尺などの情報を受け取る。【００９１】
元ウィンドウに表示された画面が図１５であったとする。なお図１５の画面中、×印で示された部分が、地図上における中心地点である。【００９２】
まずユーザは、ユーザ端末２から所定の操作により、図１５に示すような地図情報を元ウィンドウで表示する（Ｓ２００）。【００９３】
そしてユーザは、ユーザ端末２で所定の操作を行うことにより、あるいは元ウィンドウの起動と同時に、オーバーラップウィンドウをユーザ端末２の画面で表示する（Ｓ２１０）。この際に表示されるオーバーラップウィンドウの一例を図８と同様でよい。【００９４】
このようにして表示されている元ウィンドウに、オーバーラップウィンドウをドラッグして重畳させる（Ｓ２２０）。そうするとオーバーラップウィンドウ処理部４の位置情報取得部１３が、元ウィンドウで表示している地図情報の位置情報を取得する（Ｓ２３０）。この際に取得する位置情報としては、地図情報における中心位置の緯度経度などの位置情報、縮尺などの情報を取得すると良い。この位置情報は、元ウィンドウのＵＲＬにおけるパラメータなどから取得できる。また実施例１、実施例２の場合と同様に、オーバーラップウィンドウと元ウィンドウでの重畳領域の座標（P0(x0,y0)、P1(x1,y1)、P2(x2,y2)、P3(x3,y3))を算出する。【００９５】
図１６に、元ウィンドウにオーバーラップウィンドウを重畳した直後の状態を示す。このようにして取得した元ウィンドウの地図情報における位置情報、縮尺などの情報を、ウェブサーバ３に渡す。【００９６】
これらをウェブサーバ３の位置情報受取部１５で受け取ると、当該位置情報及び縮尺などの情報から、元ウィンドウにおいて表示されている地図情報の範囲が判明する。従って、リンク判定部１０は、当該範囲において、辞書記憶部１１に記憶する情報が存在するかを検索し、存在した場合にはそのリンク先のＵＲＬを抽出する（Ｓ２４０）。つまり、その範囲における店舗や地名などの情報が存在するかを辞書記憶部１１から検索して抽出する。【００９７】
例えば図１５における地図情報の範囲に、「Ａ店」、「Ｂ店」、「Ｃ店」の情報が辞書記憶部１１に存在した場合に、「Ａ店」、「Ｂ店」、「Ｃ店」のリンク先のＵＲＬと、それらの情報（例えば店舗名など）、それらの情報の種別を示すアイコン（例えば飲食店であれば飲食店のアイコン、書店であれば書店のアイコン、遊戯施設であればそのアイコンなど）を抽出する。【００９８】
そしてそれらの情報をウェブサーバ３からユーザ端末２に送信する。【００９９】
上述の場合、「Ａ店」、「Ｂ店」、「Ｃ店」の店舗名、リンク先のＵＲＬ、アイコンなどがウェブサーバ３からユーザ端末２に送られる。【０１００】
ウェブサーバ３から送られた情報は、ユーザ端末２のオーバーラップウィンドウ処理部４で受け取り、オーバーラップウィンドウ処理部４の表示処理部７は、まずＶＲＡＭから抽出した、元ウィンドウにおける重畳領域の画像をオーバーラップウィンドウの同じ位置に描画する（Ｓ２５０）。そしてオーバーラップウィンドウの他の部分（好適には重畳領域以外の領域）に、ウェブサーバ３から受け取った「Ａ店」、「Ｂ店」、「Ｃ店」の店舗名、リンクがあることを示す情報、アイコンなどの情報を表示する（Ｓ２６０）。この状態を模式的に示す図が図１７である。なお図１７の「Ａ店」、「Ｂ店」の横に表示されているのは、飲食店を示すアイコンであり、「Ｃ店」の横に表示されているのは書店を示すアイコンである。またリンクが張られていることを示すために、店舗名の下には下線が付して表示がされた状態である。なお地図情報上に、アイコンや店舗名などを示しても良い。【０１０１】
このようにすることで、オーバーラップウィンドウと元ウィンドウの重畳領域の部分について、オーバーラップウィンドウに元ウィンドウと同じ情報が表示され、且つリンクも張られた画面が表示されていることとなる。【０１０２】
なおオーバーラップウィンドウの重畳領域には元ウィンドウと同じ情報が表示されているので、ユーザはオーバーラップウィンドウの存在を意識しない場合もある。そのような場合、元ウィンドウをスクロールすることもあり得る。【０１０３】
それに備えて、オーバーラップウィンドウ処理部４のスクロール処理部８は、元ウィンドウのスクロールを監視し、元ウィンドウでスクロールが行われたことを検出すると（例えばウィンドウの縦や横方向のバーが上下されたことを検出すると）、表示処理部７で表示していたオーバーラップウィンドウを表示画面から消し、スクロール終了後、再度、オーバーラップウィンドウを同じ位置で表示して、Ｓ２３０以降の処理を実行する。これによって、スクロール後の元ウィンドウについても、オーバーラップウィンドウで同様に表示が行える。
【実施例４】
【０１０４】
なお実施例３の処理は実施例１と同様に、オーバーラップウィンドウの重畳領域についてＶＲＡＭからの画像を抽出してオーバーラップウィンドウに描画を行っていたが、実施例２と同様に、オーバーラップウィンドウについては透過状態とした画面を生成するように構成しても良い。この場合を説明する。なおこの場合のウィンドウ表示システム１は、図１８に示すように、実施例３の構成に更に画面生成部１２を備えている。【０１０５】
なおＳ２００からＳ２３０までの処理は実施例３と同様なので説明を省略する。つまり、オーバーラップウィンドウは、元ウィンドウで表示する地図情報の位置情報（好適には中心位置の位置情報）と、縮尺情報などを取得し、それらの情報をウェブサーバ３に渡す。なおこの場合には、オーバーラップウィンドウにおける重畳領域の相対座標（図４におけるＰ０乃至Ｐ４の、オーバーラップウィンドウにおける座標）を送る。【０１０６】
これらの情報をウェブサーバ３の位置情報受取部１５で受け取ると、当該位置情報及び縮尺などの情報から、元ウィンドウにおいて表示されている地図情報の範囲が判明する。従って、リンク判定部１０は、当該範囲において、辞書記憶部１１に記憶する情報が存在するかを検索し、存在した場合にはそのリンク先のＵＲＬを抽出する（Ｓ２４０）。【０１０７】
例えば図１５における地図情報の範囲に、「Ａ店」、「Ｂ店」、「Ｃ店」の情報が辞書記憶部１１に存在した場合に、「Ａ店」、「Ｂ店」、「Ｃ店」のリンク先のＵＲＬと、それらの情報（例えば店舗名など）、それらの情報の種別を示すアイコン（例えば飲食店であれば飲食店のアイコン、書店であれば書店のアイコン、遊戯施設であればそのアイコンなど）を抽出する。【０１０８】
そしてそれらの情報を、重畳領域以外の場所に表示し、また背景色が透過状態として設定されたオーバーラップウィンドウで表示する画面を生成する。これは、まず背景色を透過状態に設定し、次にオーバーラップウィンドウにおける重畳領域以外の領域に、リンク判定部１０で抽出した、「Ａ店」、「Ｂ店」、「Ｃ店」の店舗名、リンクがあることを示す情報、アイコンなどの情報を表示した画面を生成する（Ｓ２５０）。つまり、図１９に示すような画面を生成する。【０１０９】
このようにして画面生成部１２で生成された画面の情報は、ウェブサーバ３からユーザ端末２に送信される。そしてオーバーラップウィンドウ処理部４の表示処理部７で、上記画面の情報を受け取り、オーバーラップウィンドウに表示する（Ｓ２６０）。このようにすることで、オーバーラップウィンドウでは、元ウィンドウで表示されている地図情報に存在する店舗名などの情報がリンクがあることを示す情報と共に表示され、それを透過して地図情報そのものは元ウィンドウのものをユーザは見ることが出来る。この状態が図２０に示した状態となる。【０１１０】
なおオーバーラップウィンドウの重畳領域は透明またはほぼ透明なので、ユーザはオーバーラップウィンドウの存在を意識しない場合もある。そのような場合、元ウィンドウをスクロールすることもあり得る。【０１１１】
それに備えて、オーバーラップウィンドウ処理部４のスクロール処理部８は、元ウィンドウのスクロールを監視し、元ウィンドウでスクロールが行われたことを検出すると（例えばウィンドウの縦や横方向のバーが上下されたことを検出すると）、表示処理部７で表示していたオーバーラップウィンドウを表示画面から消し、スクロール終了後、再度、オーバーラップウィンドウを同じ位置で表示して、Ｓ２３０以降の処理を実行する。これによって、スクロール後の元ウィンドウについても、オーバーラップウィンドウで同様に表示が行える。
【産業上の利用可能性】
【０１１２】
本発明によって、ウェブサイトに重畳して表示したウィンドウ（オーバーラップウィンドウ）に、下に位置するウェブサイトの表示をリンクを含めて行うことが出来る。またそのリンクは、下に位置するウェブサイトのリンクにとらわれることなく処理されるので、ウェブサイトの作成者が設定した以上のリンクを表示することが可能となる。
【図１】
2008038368.tif 000003
【図２】
2008038368.tif 000004
【図３】
2008038368.tif 000005
【図４】
2008038368.tif 000006
【図５】
2008038368.tif 000007
【図６】
2008038368.tif 000008
【図７】
2008038368.tif 000009
【図８】
2008038368.tif 000010
【図９】
2008038368.tif 000011
【図１０】
2008038368.tif 000012
【図１１】
2008038368.tif 000013
【図１２】
2008038368.tif 000014
【図１３】
2008038368.tif 000015
【図１４】
2008038368.tif 000016
【図１５】
2008038368.tif 000017
【図１６】
2008038368.tif 000018
【図１７】
2008038368.tif 000019
【図１８】
2008038368.tif 000020
【図１９】
2008038368.tif 000021
【図２０】
2008038368.tif 000022
【図２１】
2008038368.tif 000023
【国際調査報告】
2008038368.tif 000024
2008038368.tif 000025
2008038368.tif 000026
2008038368.tif 000027